(57)【要約】【課題】物理階層ではない上位階層にＬＬＩＤ情報を伝達することによって論理的ＭＡＣエミュレーションが可能であるようにする。【解決手段】イーサネット受動光加入者網システムのＭＡＣ具現方法において、イーサネット受動光加入者網システムの物理階層１０２でＬＬＩＤ情報をプリアンブルに含めて伝達する第１ステップと、ＲＳ階層１２４でプリアンブルに含まれたＬＬＩＤ情報をイーサネットフレームに含ませた新たなイーサネットフレームを構成して上位データリンク階層１０４に伝達する第２ステップと、データリンク階層でＬＬＩＤ情報が含まれた新たなイーサネットフレームを伝達する第３ステップと、を含むことを特徴とする。【選択図】  図５
2004289827.tif 000002
【特許請求の範囲】
【請求項１】
イーサネット（登録商標、以下同）受動光加入者網システムのＭＡＣ(Media Access Control)具現方法において、
イーサネットフレームを、プリアンブルと、目的地アドレスを表示するための目的地アドレス(Destination Address；ＤＡ)フィールドと、発信地アドレスを表示するためのソースアドレス(Source Address；ＳＡ)フィールドと、当該イーサネットフレームの長さ及びタイプを表示するための長さ／タイプ(Length/Type；Ｌ／Ｔ)フィールドと、当該イーサネットフレームのデータを表示するためのデータ／ＰＡＤ(Packet Assembly and Disassembly)フィールドと、データ通信で情報をフレーム別に分けて伝送するとき各フレームのエッジに位置してエラー検出するためのＦＣＳ(Frame Check Sequence)フィールドとから構成するとともに、
論理的リンク識別子を表示するためのＬＬＩＤ(Logical Link ID)フィールドをフレーム内に位置させてデータリンク階層に伝送することにより、該データリンク階層で論理的ＭＡＣエミュレーション(Logical MAC Emulation)が可能であるようにすることを特徴とする論理的ＭＡＣ具現方法。
【請求項２】
イーサネットフレームに、イーサタイプ(Ether Type)に対する情報を表示するＥ ｔｙｐｅフィールドをさらに備える請求項１記載の論理的ＭＡＣ具現方法。
【請求項３】
イーサネット受動光加入者網システムのＭＡＣ(Media Access Control)具現方法において、
該イーサネット受動光加入者網システムの物理階層でＬＬＩＤ情報をプリアンブルに含めて伝達する第１ステップと、
ＲＳ(Reconciliation Sublayer)階層で前記プリアンブルに含まれたＬＬＩＤ情報をイーサネットフレームに含ませた新たなイーサネットフレームを構成して該イーサネット受動光加入者網システムの上位データリンク階層に伝達する第２ステップと、
前記データリンク階層で前記ＬＬＩＤ情報が含まれた前記新たなイーサネットフレームを伝達する第３ステップと、を含むことを特徴とする論理的ＭＡＣ具現方法。
【請求項４】
新たなイーサネットフレームは、目的地アドレスを表示するための目的地アドレス(Destination Address；ＤＡ)フィールドと、発信地アドレスを表示するためのソースアドレス(Source Address；ＳＡ)フィールドと、論理的リンク識別子を表示するためのＬＬＩＤ(Logical Link ID)フィールドと、フレームの長さ及びタイプを表示するための長さ／タイプ(Length/Type；Ｌ／Ｔ)フィールドと、当該イーサネットフレームのデータを表示するためのデータ／ＰＡＤ(Packet Assembly and Disassembly)フィールドと、データ通信で情報をフレーム別に分けて伝送するとき各フレームのエッジに位置してエラー検出するためのＦＣＳ(Frame Check Sequence)フィールドとから構成され、
前記ＬＬＩＤフィールドがフレーム内に位置してデータリンク階層に伝送されることにより、該データリンク階層で論理的ＭＡＣエミュレーション(Logical MAC Emulation)が可能であるようにする請求項３記載の論理的ＭＡＣ具現方法。
【請求項５】
新たなイーサネットフレームにイーサタイプ(Ether Type)に対する情報を表示するＥ ｔｙｐｅフィールドをさらに備える請求項４記載の論理的ＭＡＣ具現方法。
【請求項６】
第２ステップは、
ＲＳ階層がイーサネットパケットを物理階層から受信する第４ステップと、
前記ＲＳ階層が前記第４ステップで受信した前記イーサネットパケットのプリアンブルにエラーがあるか否かを確認する第５ステップと、
前記第５ステップの確認結果、前記プリアンブルにエラーがある場合に受信した前記イーサネットパケットを廃棄し、前記プリアンブルのエラーを報告する第６ステップと、
前記第５ステップの確認結果、前記プリアンブルにエラーがない場合に受信した前記イーサネットパケットのイーサネットフレーム内にエラーがあるか否かを確認する第７ステップと、
前記第７ステップの確認結果、前記イーサネットフレーム内にエラーがあれば、イーサネットフレームエラーを報告する第８ステップと、
前記第７ステップの確認結果、前記イーサネットフレーム内にエラーがなければ、前記プリアンブルに含まれているＬＬＩＤ情報を抽出して前記イーサネットフレーム内に含ませた新たなイーサネットフレームを構成する第９ステップと、
前記新たなイーサネットフレームのＦＣＳの処理を遂行し、前記新たなイーサネットパケットを伝達する第１０ステップと、を備える請求項４または請求項５記載の論理的ＭＡＣ具現方法。
【請求項７】
第１０ステップは、上位階層のＦＣＳが不能(Disable)に設定されていると、ＦＣＳを更新することなく新たなイーサネットパケットを前記上位階層に伝達する請求項６記載の論理的ＭＡＣ具現方法。
【請求項８】
第１０ステップは、上位階層のＦＣＳが可能(Enable)に設定されていると、ＦＣＳを更新して挿入した後に、新たなイーサネットパケットを前記上位階層に伝達する請求項６記載の論理的ＭＡＣ具現方法。
【請求項９】
イーサネット受動光加入者網システムのＭＡＣ(Media Access Control)具現方法において、
該イーサネット受動光加入者網システムのデータリンク階層でＬＬＩＤ情報が含まれたイーサネットフレームを伝達する第１ステップと、
ＲＳ(Reconciliation Sublayer)階層で前記イーサネットフレームに含まれた前記ＬＬＩＤ情報を抽出してプリアンブルに含ませて標準案によるイーサネットフレームを構成し、該イーサネット受動光加入者網システムの下位物理階層に伝達する第２ステップと、
前記物理階層でＬＬＩＤ情報をプリアンブルに含めて伝達する第３ステップと、を含むことを特徴とする論理的ＭＡＣ具現方法。
【請求項１０】
第１ステップのイーサネットフレームは、目的地アドレスを表示するための目的地アドレス(Destination Address；ＤＡ)フィールドと、発信地アドレスを表示するためのソースアドレス(Source Address；ＳＡ)フィールドと、論理的リンク識別子を表示するためのＬＬＩＤ(Logical Link ID)フィールドと、該イーサネットフレームの長さ及びタイプを表示するための長さ／タイプ(Length/Type；Ｌ／Ｔ)フィールドと、該イーサネットフレームのデータを表示するためのデータ／ＰＡＤ(Packet Assembly and Disassembly)フィールドと、データ通信で情報をフレーム別に分けて伝送するとき各フレームのエッジに位置してエラー検出するためのＦＣＳ(Frame Check Sequence)フィールドとから構成され、
前記ＬＬＩＤフィールドがフレーム内に位置してデータリンク階層で伝送されることにより、該データリンク階層で論理的ＭＡＣエミュレーション(Logical MAC Emulation)が可能であるようにする請求項９記載の論理的ＭＡＣ具現方法。
【請求項１１】
イーサネットフレームにイーサタイプ(Ether Type)に対する情報を表示するＥ ｔｙｐｅフィールドをさらに備える請求項１０記載の論理的ＭＡＣ具現方法。
【請求項１２】
第２ステップは、
ＲＳ階層がイーサネットフレームをデータリンク階層から受信する第４ステップと、
前記ＲＳ階層が受信した前記イーサネットフレーム内に含まれているＬＬＩＤ情報を抽出し、該抽出した前記ＬＬＩＤ情報をプリアンブル内に含ませる第５ステップと、
前記プリアンブルのＣＲＣと前記ＬＬＩＤ情報が省略された標準案によるイーサネットフレームでＦＣＳを計算して該標準案によるイーサネットフレーム内のＣＲＣとＦＣＳ情報を更新する第６ステップと、
前記ＣＲＣとＦＣＳ情報を更新した前記標準案によるイーサネットフレームが含まれたイーサネットパケットを物理階層に伝達する第７ステップと、からなる請求項１０または請求項１１記載の論理的ＭＡＣ具現方法。
【請求項１３】
イーサネット受動光加入者網システムの局に備えられたプロセッサに、
該イーサネット受動光加入者網システムの物理階層でＬＬＩＤ情報をプリアンブルに含めて転送する第１機能と、
ＲＳ(Reconciliation Sublayer)階層で前記プリアンブルに含まれたＬＬＩＤ情報をイーサネットフレームに含ませた新たなイーサネットフレームを構成して該イーサネット受動光加入者網システムの上位データリンク階層に転送する第２機能と、
前記データリンク階層で前記ＬＬＩＤ情報が含まれた前記新たなイーサネットフレームを伝達する第３機能とを実現させるためのプログラム。
【請求項１４】
請求項１３記載のプログラムを記録したコンピュータ読み取り可能な記録媒体。
【請求項１５】
イーサネット受動光加入者網システムの局に備えられたプロセッサに、
該イーサネット受動光加入者網システムのデータリンク階層でＬＬＩＤ情報が含まれたイーサネットフレームを伝達する第１機能と、
ＲＳ(Reconciliation Sublayer)階層で前記イーサネットフレームに含まれた前記ＬＬＩＤ情報を抽出してプリアンブルに含ませて標準案によるイーサネットフレームを構成し、該イーサネット受動光加入者網システムの下位物理階層に転送する第２機能と、
前記物理階層でＬＬＩＤ情報をプリアンブルに含めて伝達する第３機能とを実現させるためのプログラム。
【請求項１６】
請求項１５記載のプログラムを記録したコンピュータ読み取り可能な記録媒体。
【発明の詳細な説明】
【技術分野】
【０００１】
本発明は、常用ＩＥＥＥ(Institute of Electrical and Electronics Engineers)８０２．３ＭＡＣを利用してＩＥＥＥ ８０２．３ａｈ ＥＦＭ(Ethernet in the First Mile)標準化で定義しているＥＰＯＮ用ＭＡＣを実現する方法に関する（イーサネット及びEthernetは登録商標、以下同）。
【背景技術】
【０００２】
受動光加入者網(Passive Optical Network；ＰＯＮ)は、１つのＯＬＴ(Optical Line Termination)に複数のＯＮＵ(Optical Network Unit)を１×Ｎ ＯＤＮ(Optical Distribution Network)を使用して連結することにより、ツリー構造の分散トポロジーを形成する加入者網である。
【０００３】
現在、ＩＥＥＥ８０２．３ａｈ ＥＦＭ作業グループ(Working Group)は、イーサネット受動光加入者網(Ethernet Passive Optical Network；ＥＰＯＮ)システムに必要な多様な機能を定義している。その中でも、ＭＡＣ(Media access control)に関連した３つの機能には、ＭＰＣＰ(Multi-Point Control Protocol)機能、ＯＡＭ(Operation, Administration, and Maintenance)機能、及びＬＬＩＤ(Logical Link ID)機能がある。このうち、ＬＬＩＤはフレームのプリアンブル(Preamble)に位置する。
【０００４】
図１に示すように、標準化で定義された階層化基準(Layering Baseline)によると、ＰＭＡ(Physical Medium Attachment)階層１０８、ＰＭＤ(Physical Medium Dependent)階層１１０及びＰＣＳ(Physical Coding Sublayer)１１２で構成された物理階層１０２と、ＭＡＣ階層１１４、ＭＰＣＰ階層１１６、ＭＡＣ制御階層１１８、及びＯＡＭ階層１２０で構成されるデータリンク階層１０４とに分類され、その上に、ＭＡＣクライアント１２２が存在する。ＭＡＣクライアント１２２の上には、ルータ、スイッチ、またはＵＬＳＬＥ(Upper Layer Shared LAN Emulation)プロセッサーなどがある。
【０００５】
そして、物理階層１０２とデータリンク階層１０４との間にインタフェース階層１０６が存在し、８０２．３ＭＡＣ−ＰＬＳ(Physical Layer Signaling)インタフェース階層であるＲＳ(Reconciliation Sublayer)階層１２４とＧＭＩＩ(Gbps Media Independent Interface)階層１２６とから構成される。
【０００６】
しかし、実際にＥＰＯＮ用ＭＡＣを遂行する場合には、図１に示すように、複数のＭＡＣ階層１１４が存在する必要はなく、ただ１個の物理的(Physical)ＭＡＣ階層が存在し、論理的ＭＡＣエミュレーション(Logical MAC Emulation)を通じて十分に１つの物理的ＭＡＣ階層１１４をもってＥＰＯＮ用ＭＡＣに必要なすべての機能を実現することができる。
【０００７】
ＭＰＣＰ及びＯＡＭ機能は、ＭＡＣ階層１１４の上位階層で実現されなければならず、ＬＬＩＤ タギング／ディタギング(Tagging/Detagging)の機能は、ＲＳ階層１２４で実現されなければならない。
【０００８】
ここで、１つの物理的ＭＡＣ階層を有し、複数の論理的ＭＡＣ階層のようにエミュレーションするためには、プリアンブルにあるＬＬＩＤ情報が上位の他のブロック(Block)でも利用可能でなければならない。
【０００９】
例えば、エラーカウンタ(Error Counter)などをそれぞれのＬＬＩＤに従って管理しなければならず、また、ＬＬＩＤに従ってパケット(Packet)を生成して処理すべきである。
【００１０】
言い換えれば、実際にＰＯＮ階層を実現するときには、１つの物理的ＭＡＣ階層１１４、ＭＰＣＰ階層１１６、及びＯＡＭ階層１２０を使用し、ＬＬＩＤ情報に従ってこれらの内容を分離する。従って、上位ＭＡＣクライアント１２２及びＬＬＩＤに従ってインタフェース(Interface)機能を遂行する場合には、エミュレーション機能を適切に遂行することができる。
【００１１】
図２は、ＥＦＭ標準案によるイーサネットフレームの一実施例を示す構造図である。
【００１２】
図２に示すように、ＥＦＭ標準案によるイーサネットフレームは、８バイトで構成されたプリアンブル(Preamble)フィールド２１、６バイトで構成された目的地アドレス(Destination Address；ＤＡ)フィールド２２、６バイトで構成されたソースアドレス(Source Address；ＳＡ)フィールド２３、２バイトで構成された長さ／タイプ(Length/Type；Ｌ／Ｔ)フィールド２４、フレームデータを表示するためのデータ／ＰＡＤ(packet assembly and disassembly)フィールド２５、及びデータ通信で情報をフレーム別に分けて伝送するとき各フレームのエッジでエラー検出するためのＦＣＳ(Frame Check Sequence)フィールド２６から構成される。
【００１３】
特に、プリアンブルフィールド２１は、３バイトで構成されたＳＰＤフィールド２１１、２バイトで構成された保留(Reserved)フィールド２１２、２バイトで構成されたＬＬＩＤフィールド２１３、及び１バイトで構成されたＣＲＣ(Cyclical Redundancy Check)フィールド２１４を備える。
【００１４】
図３は、従来技術によるＰＯＮタギングイーサネットフレームを階層の間に伝達する構造を説明するための例示図である。図３に示すＰＯＮタギングイーサネットフレームを階層の間に伝達する構造は、韓国特許庁に三星電子(株)によって出願された特許文献１の“イーサネット受動光加入者網システム(ETHERNET PASSIVE OPTICAL NETWORK SYSTEM)”で提示した構造である。
【００１５】
【特許文献１】韓国特許出願２００２−３５４７０
【００１６】
詳細に説明すると、物理階層１０２から伝達されたフレームは、ＭＡＣ階層１１４で基本的な動作手順を遂行した後に、ＤＡフィールド３０２、ＳＡフィールド３０４、長さ／タイプフィールド３０６、ｖＬｉｎｋタグフィールド３０８、及びデータフィールド３１０が上位階層に伝達される。これを受信したＭＡＣ制御階層１１８では、まず長さ／タイプフィールドを確認するが、該当フレームが使用者フレームであるので、長さ／タイプフィールド３０６はフレームの長さ値を示す。このように、使用者フレームである場合には、ＭＡＣコントロール階層１１８は、何の動作も遂行せず、ＤＡフィールド３０２、ＳＡフィールド３０４、及びデータフィールド３１０を上位階層に伝達する。
【００１７】
このとき、ｖＬｉｎｋタグフィールド３０８は、使用者データフィールドとして伝達される。これを受信したマルチプレキシング階層３１６は、ＤＡフィールド３０２及びＳＡフィールド３０４のＭＡＣアドレスをｖＬｉｎｋタグフィールド３０８内のモード３１２及びＰＨＹ＿ＩＤ３１４を組み合わせて、これに適合したリフレクション(reflection)またはフォーワーディング(forwarding)動作を遂行する。このとき、ｖＬｉｎｋタグフィールド３０８は、長さ／タイプフィールド３０６の後にあるので、マルチプレキシング階層は、ｖＬｉｎｋタグフィールド３０８を一般使用者のデータと見なして上位階層に伝達する。
【００１８】
また、ｖＬｉｎｋタグフィールド３０８内のＰＨＹ＿ＩＤ値３１４は、各モードに従って異なるが、モードがＰ２Ｐ(Point-To-Point)モードである場合には、目的地になるＰＨＹ＿ＩＤ値３１４を割り当てる。一方、モードがＳＣＢ(Single Copy Broadcasting)モードである場合には、該当ＯＬＴにフレームを伝送したＯＮＵのＰＨＹ＿ＩＤ値３１４を割り当てる。このような割当て方法は、下向（下り）伝送の場合にも同一である。
【００１９】
しかし、図２に示している現在のＥＦＭ標準案では、イーサネットフレームのプリアンブル２１にＬＬＩＤ情報を備えて伝達することにより、プリアンブルが除去されて伝達される上位階層では、ＬＬＩＤ情報を利用することができない短所がある。
【発明の開示】
【発明が解決しようとする課題】
【００２０】
上記背景に鑑みて、本発明の目的は、常用ＭＡＣをＥＰＯＮ用ＭＡＣ開発に利用するためにフレーム内にＬＬＩＤ情報を備えて上位階層に伝達するイーサネット受動光加入者網システムの論理的ＭＡＣの具現方法及び当該方法を実現させるためのプログラムとこれを記録したコンピュータ読み取り可能な記録媒体を提供することにある。
【００２１】
また、本発明の目的は、常用ＭＡＣを使用しつつＥＦＭ標準案との互換が可能であるようにすることにある。
【００２２】
さらに、本発明の目的は、物理階層ではない上位階層にＬＬＩＤ情報を伝達することによって論理的ＭＡＣエミュレーションが可能であるようにすることにある。
【課題を解決するための手段】
【００２３】
このような目的を達成するために、本発明は、イーサネット受動光加入者網システムのＭＡＣ具現方法において、イーサネットフレームを、プリアンブルと、目的地アドレスを表示するための目的地アドレス(Destination Address；ＤＡ)フィールドと、発信地アドレスを表示するためのソースアドレス(Source Address；ＳＡ)フィールドと、当該イーサネットフレームの長さ及びタイプを表示するための長さ／タイプ(Length/Type；Ｌ／Ｔ)フィールドと、当該イーサネットフレームのデータを表示するためのデータ／ＰＡＤ(Packet Assembly and Disassembly)フィールドと、データ通信で情報をフレーム別に分けて伝送するとき各フレームのエッジに位置してエラー検出するためのＦＣＳ(Frame Check Sequence)フィールドとから構成するとともに、論理的リンク識別子を表示するためのＬＬＩＤ(Logical Link ID)フィールドをフレーム内に位置させてデータリンク階層に伝送することにより、該データリンク階層で論理的ＭＡＣエミュレーション(Logical MAC Emulation)が可能であるようにすることを特徴とする。このイーサネットフレームには、イーサタイプ(Ether Type)に対する情報を表示するＥ ｔｙｐｅフィールドをさらに備えることもできる。
【００２４】
あるいは、本発明は、イーサネット受動光加入者網システムのＭＡＣ具現方法において、該イーサネット受動光加入者網システムの物理階層でＬＬＩＤ情報をプリアンブルに含めて伝達する第１ステップと、ＲＳ(Reconciliation Sublayer)階層でプリアンブルに含まれたＬＬＩＤ情報をイーサネットフレームに含ませた新たなイーサネットフレームを構成して該イーサネット受動光加入者網システムの上位データリンク階層に伝達する第２ステップと、データリンク階層でＬＬＩＤ情報が含まれた新たなイーサネットフレームを伝達する第３ステップと、を含むことを特徴とする。新たなイーサネットフレームは、目的地アドレスを表示するための目的地アドレスフィールドと、発信地アドレスを表示するためのソースアドレスフィールドと、論理的リンク識別子を表示するためのＬＬＩＤフィールドと、フレームの長さ及びタイプを表示するための長さ／タイプフィールドと、当該イーサネットフレームのデータを表示するためのデータ／ＰＡＤフィールドと、データ通信で情報をフレーム別に分けて伝送するとき各フレームのエッジに位置してエラー検出するためのＦＣＳフィールドとから構成され、ＬＬＩＤフィールドがフレーム内に位置してデータリンク階層に伝送されることにより、該データリンク階層で論理的ＭＡＣエミュレーションが可能であるようにするものとする。この場合、新たなイーサネットフレームにイーサタイプに対する情報を表示するＥ ｔｙｐｅフィールドをさらに備えることもできる。
【００２５】
第２ステップは、ＲＳ階層がイーサネットパケットを物理階層から受信する第４ステップと、ＲＳ階層が第４ステップで受信したイーサネットパケットのプリアンブルにエラーがあるか否かを確認する第５ステップと、第５ステップの確認結果、プリアンブルにエラーがある場合に受信したイーサネットパケットを廃棄し、プリアンブルのエラーを報告する第６ステップと、第５ステップの確認結果、プリアンブルにエラーがない場合に受信したイーサネットパケットのイーサネットフレーム内にエラーがあるか否かを確認する第７ステップと、第７ステップの確認結果、イーサネットフレーム内にエラーがあれば、イーサネットフレームエラーを報告する第８ステップと、第７ステップの確認結果、イーサネットフレーム内にエラーがなければ、プリアンブルに含まれているＬＬＩＤ情報を抽出してイーサネットフレーム内に含ませた新たなイーサネットフレームを構成する第９ステップと、新たなイーサネットフレームのＦＣＳの処理を遂行し、新たなイーサネットパケットを伝達する第１０ステップと、を備えるものとすることができる。その第１０ステップは、上位階層のＦＣＳが不能(Disable)に設定されていると、ＦＣＳを更新することなく新たなイーサネットパケットを上位階層に伝達する、あるいは、上位階層のＦＣＳが可能(Enable)に設定されていると、ＦＣＳを更新して挿入した後に、新たなイーサネットパケットを上位階層に伝達するステップとしてもよい。
【００２６】
さらに、本発明によれば、イーサネット受動光加入者網システムのＭＡＣ具現方法において、該イーサネット受動光加入者網システムのデータリンク階層でＬＬＩＤ情報が含まれたイーサネットフレームを伝達する第１ステップと、ＲＳ階層でイーサネットフレームに含まれたＬＬＩＤ情報を抽出してプリアンブルに含ませて標準案によるイーサネットフレームを構成し、該イーサネット受動光加入者網システムの下位物理階層に伝達する第２ステップと、物理階層でＬＬＩＤ情報をプリアンブルに含めて伝達する第３ステップと、を含むことを特徴とする。
【００２７】
第１ステップのイーサネットフレームは、目的地アドレスを表示するための目的地アドレスフィールドと、発信地アドレスを表示するためのソースアドレスフィールドと、論理的リンク識別子を表示するためのＬＬＩＤフィールドと、該イーサネットフレームの長さ及びタイプを表示するための長さ／タイプフィールドと、該イーサネットフレームのデータを表示するためのデータ／ＰＡＤフィールドと、データ通信で情報をフレーム別に分けて伝送するとき各フレームのエッジに位置してエラー検出するためのＦＣＳフィールドとから構成され、ＬＬＩＤフィールドがフレーム内に位置してデータリンク階層で伝送されることにより、該データリンク階層で論理的ＭＡＣエミュレーションが可能であるようにすることができる。この場合、イーサネットフレームにイーサタイプに対する情報を表示するＥ ｔｙｐｅフィールドをさらに備えてもよい。
【００２８】
第２ステップは、ＲＳ階層がイーサネットフレームをデータリンク階層から受信する第４ステップと、ＲＳ階層が受信したイーサネットフレーム内に含まれているＬＬＩＤ情報を抽出し、該抽出したＬＬＩＤ情報をプリアンブル内に含ませる第５ステップと、プリアンブルのＣＲＣとＬＬＩＤ情報が省略された標準案によるイーサネットフレームでＦＣＳを計算して該標準案によるイーサネットフレーム内のＣＲＣとＦＣＳ情報を更新する第６ステップと、ＣＲＣとＦＣＳ情報を更新した標準案によるイーサネットフレームが含まれたイーサネットパケットを物理階層に伝達する第７ステップと、からなるものとすることができる。
【００２９】
さらに、本発明によれば、イーサネット受動光加入者網システムの局に備えられたプロセッサに、該イーサネット受動光加入者網システムの物理階層でＬＬＩＤ情報をプリアンブルに含めて転送する第１機能と、ＲＳ階層でプリアンブルに含まれたＬＬＩＤ情報をイーサネットフレームに含ませた新たなイーサネットフレームを構成して該イーサネット受動光加入者網システムの上位データリンク階層に転送する第２機能と、データリンク階層でＬＬＩＤ情報が含まれた新たなイーサネットフレームを伝達する第３機能とを実現させるためのプログラム、及びこのプログラムを記録したコンピュータ読み取り可能な記録媒体を提供する。あるいは、イーサネット受動光加入者網システムの局に備えられたプロセッサに、該イーサネット受動光加入者網システムのデータリンク階層でＬＬＩＤ情報が含まれたイーサネットフレームを伝達する第１機能と、ＲＳ階層でイーサネットフレームに含まれたＬＬＩＤ情報を抽出してプリアンブルに含ませて標準案によるイーサネットフレームを構成し、該イーサネット受動光加入者網システムの下位物理階層に転送する第２機能と、物理階層でＬＬＩＤ情報をプリアンブルに含めて伝達する第３機能とを実現させるためのプログラム、及びこのプログラムを記録したコンピュータ読み取り可能な記録媒体が提供される。
【発明の効果】
【００３０】
本発明によると、常用ＭＡＣをＥＰＯＮ用ＭＡＣ開発に利用するためフレーム内にＬＬＩＤ情報を備えて上位階層に伝達させることができる。
【００３１】
また、本発明は、常用ＭＡＣを使用しつつＥＦＭ標準案との互換が可能であるようにする。
【００３２】
さらに、本発明は、物理階層ではない上位階層にＬＬＩＤ情報を伝達することによって論理的ＭＡＣエミュレーションが可能であるようにする。
【００３３】
このような本発明の方法は、プログラムで実現され、コンピュータ読み取り可能な記録媒体(ＣＤ−ＲＯＭ、ＲＡＭ、フレキシブルディスク、ハードディスク、及び光磁気ディスクなど)に記録することができる。
【発明を実施するための最良の形態】
【００３４】
以下、本発明の好適な実施形態について添付図を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
【００３５】
図４Ａ及び図４Ｂは、本発明によるＬＬＩＤ情報を上位階層に伝達する論理的ＭＡＣの具現方法に関する一実施例を示す構成図である。本例のＬＬＩＤ情報を上位階層に伝達する論理的ＭＡＣの具現方法は、プリアンブルに含まれたＬＬＩＤをイーサネットフレーム内に含ませて伝達する。
【００３６】
詳細に説明すると、本発明によるイーサネットフレームは、図２で提示する標準案のフレーム構造とは異なる新たなフレーム構造を提案したもので、８バイトで構成されたプリアンブルフィールド４１、６バイトで構成された目的地アドレス(Destination Address；ＤＡ)フィールド４２、６バイトで構成されたソースアドレス(Source Address；ＳＡ)フィールド４３、２バイトで構成されたイーサタイプに対する情報を表示するＥ ｔｙｐｅフィールド４４、２バイトで構成されたＬＬＩＤフィールド４５、２バイトで構成された長さ／タイプ(Length/Type；Ｌ／Ｔ)フィールド４６、フレームのデータを表示するためのデータ／ＰＡＤ(packet assembly and disassembly)フィールド４７、及びデータ通信で情報をフレーム別に分けて伝送するとき各フレームのエッジでエラー検出するためのＦＣＳ(frame check sequence)フィールド４８で構成される。
【００３７】
また、図４Ｂに示すように、Ｅ ｔｙｐｅフィールド４４をイーサネットフレームから省略することもできる。すなわち、本発明は、標準案のプリアンブルフィールド４１にあるＬＬＩＤ情報を抽出し、上位階層に存在するＭＰＣＰ階層またはＯＡＭ階層、そしてＭＡＣクライアントに、そのＬＬＩＤ情報をイーサネットフレーム内に挿入して常用ＭＡＣを通じ伝送する方式であるので、Ｅ ｔｙｐｅ(またはＭｏｄｅ)を新たに定義する必要がない。
【００３８】
このように、フレーム内にＬＬＩＤフィールド４５を含ませることによって、上位階層に伝達するときにもＬＬＩＤ情報が伝達される。従って、本発明による新たなフレーム構造を適用すると、実際にＰＯＮ階層を実現するときには、１つの物理的ＭＡＣ、エラー検査(Error Checking)、ＭＰＣＰ、及びＯＡＭブロックがあるが、ＬＬＩＤ情報に従ってこれらの内容を分離することにより、複数の物理的ＭＡＣが存在するもののように見えるようにするエミュレーションが可能になる。
【００３９】
しかし、このように新たなフレームを適用すると、標準案との互換問題が発生し得る。次に示す第２実施例では標準案との互換が可能であり、上位階層へのＬＬＩＤ情報を伝達することが可能な新たな論理的ＭＡＣの具現方法を提示する。
【００４０】
図５は、本発明によるＬＬＩＤ情報を上位階層に伝達する論理的ＭＡＣ具現方法に関する第２実施例を示す階層構成図である。すなわち、図５に示すように、本発明によるＬＬＩＤ情報を上位階層に伝達する論理的ＭＡＣ具現方法に関する第２実施例は、物理階層では、ＥＦＭ標準案の方法のように図２で提示したＬＬＩＤ情報をプリアンブルに含ませるイーサネットフレームを構成し、ＭＡＣ階層(データリンク階層)以上では、ＬＬＩＤをフレーム内に含ませる図４Ａ及び図４Ｂで提示した構造でイーサネットフレームを構成する。
【００４１】
このようなイーサネットフレームの変換はＲＳ階層で行われ、図６及び図７は、本発明によるＲＳ階層でのフレーム変換方法に関する一実施例を示すフローチャートである。
【００４２】
図５に示すように、標準化で定義された階層化基準(Layering Baseline)によると、物理階層１０２は、ＰＭＡ(Physical Medium Attachment)１０８、ＰＭＤ(Physical Medium Dependent)階層１１０、及びＰＣＳ(Physical Coding Sublayer)１１２を備え、データリンク階層１０４は、 ＭＡＣ階層１１４、ＭＰＣＰ階層１１６、ＭＡＣ制御階層１１８、ＯＡＭ階層１２０及びマルチプレキシング３１６(ここで、マルチプレキシング３１６は、図１には示していなかったが、図１でも含まれているものである)を備える。これら物理階層とデータリンク階層との間に位置するインタフェース階層は、８０２．３ＭＡＣ−ＰＬＳ(Physical Layer Signaling)インタフェースであるＲＳ(Reconciliation Sublayer)階層１２４及びＧＭＩＩ(Gbps Media Independent Interface)階層１２６を備える。
【００４３】
この第２実施例によると、物理階層１０２及びインタフェース階層１０６では、図２に示すように、プリアンブルにＬＬＩＤ情報を有するイーサネットフレームを有する。一方、データリンク階層１０４では、図４Ａ及び図４Ｂに示すように、イーサネットフレーム内にＬＬＩＤ情報を備える。この実施例によると、ＬＬＩＤ情報は、ＭＡＣ階層１１４の下まではプリアンブルに存在することにより８０２．３ａｈＥＦＭ標準と互換でき、その上位階層ではフレーム内に存在することにより、既存の常用８０２．３ＭＡＣを利用してＥＰＯＮ用ＭＡＣとのエミュレーションを行うことが容易である。
【００４４】
このようなイーサネットフレームの変換はＲＳ階層で行われる。
【００４５】
図６は、本発明によるＲＳ階層でのフレームの変換方法のうちアップストリームのときのフレームの変換過程に関する一実施例を示すフローチャートである。再構成過程において、ＲＳは、ステップ６０１で、物理階層に含まれているＰＣＳ階層からイーサネットパケットを受信し、ＬＬＩＤ情報を再構成する。
【００４６】
そうすると、ＲＳは、ステップ６０２でイーサネットパケットのプリアンブルにエラーがあるか否かをプリアンブルのＣＲＣフィールドを通じて確認する。その結果、エラーがある場合には、ステップ６０２で受信したイーサネットパケットを廃棄し、ステップ６０３でＣＲＣエラーを報告(Report)する。一方、確認した結果、エラーがない場合には、ステップ６０４で、ステップ６０２から受信したイーサネットパケットのＤＡ及びＦＣＳフィールド内にエラーがあるか否かをイーサネットフレーム内のＦＣＳフィールドを利用して確認する。そして、ステップ６０４でイーサネットフレーム内にエラーがあれば、ステップ６０５でＦＣＳエラーを上位階層に報告する。一方、ステップ６０４でイーサネットフレーム内にエラーがなければ、ステップ６０６で、プリアンブルにあるＬＬＩＤ情報を図４Ａ及び図４Ｂのようにイーサネットフレーム内に含ませた新たなイーサネットフレームを構成する。そして、ステップ６０７でＭＡＣ階層１１４の構成(Configuration)に従ってＦＣＳの処理を遂行する。
【００４７】
言い換えれば、常用ＭＡＣのＦＣＳが不能(Disable)に設定されていると、ステップ６０８でＦＣＳを更新(Update)することなく、イーサネットパケットを上位階層(すなわち、ＭＡＣ階層)に伝達する。一方、常用ＭＡＣのＦＣＳが可能(Enable)に設定されていると、ＦＣＳをさらに計算して挿入した後に、ステップ６０８でイーサネットパケットを上位階層(すなわち、ＭＡＣ階層)に転送する。
【００４８】
図７は、本発明によるＲＳ階層でのフレームの変換方法のうちダウンストリームのときのフレームの変換過程に関する一実施例を示すフローチャートである。
【００４９】
図７に示すように、ＲＳ階層は、ＭＡＣ階層から物理階層へのダウンストリームのときにＬＬＩＤ情報を再構成する。このとき、ステップ７０１で、ＲＳ階層はイーサネットパケットを常用ＭＡＣ階層から受信する。ＲＳ階層は、ステップ７０２で受信したイーサネットパケットのイーサネットフレーム内に含まれているＬＬＩＤ情報を抽出し、ステップ７０３で抽出されたＬＬＩＤ情報をプリアンブル内に含ませる。そうすると、ステップ７０４で、プリアンブル内のＣＲＣ情報とイーサネットフレーム内のＦＣＳ情報とを計算してプリアンブル内のＣＲＣ及びイーサネットフレーム内のＦＣＳ情報を更新する。ＲＳ階層は、ステップ７０５で更新されたイーサネットパケットを物理階層に含まれているＰＣＳ階層に転送する。
【００５０】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００５１】
【図１】ＩＥＥＥ ８０２．３ａｈ ＥＦＭ標準化で定義された階層化基準を示す階層例示図。
【図２】ＩＥＥＥ ８０２．３ａｈ ＥＦＭ標準案によるイーサネットフレームの例を示す構造図。
【図３】従来技術によるＰＯＮタギングイーサネットフレームを階層の間に伝達する構造を説明するための階層例示図。
【図４】本発明によるＬＬＩＤ情報を上位階層に伝達する論理的ＭＡＣ具現方法に関する第１実施例を説明するための構成図。
【図５】本発明によるＬＬＩＤ情報を上位階層に伝達する論理的ＭＡＣ具現方法に関する第２実施例を示す例示図。
【図６】本発明によるＲＳ階層でのフレームの変換方法のうちアップストリームのときのフレームの変換過程を示すフローチャート。
【図７】本発明によるＲＳ階層でのフレームの変換方法のうちダウンストリームのときのフレームの変換過程を示すフローチャート。
【図１】
2004289827.tif 000003
【図２】
2004289827.tif 000004
【図３】
2004289827.tif 000005
【図４】
2004289827.tif 000006
【図５】
2004289827.tif 000007
【図６】
2004289827.tif 000008
【図７】
2004289827.tif 000009